(57)【要約】【課題】清掃本体部によって効率良く清掃することが可能な所定の清掃方向に沿ってのみ、清掃本体部に対して柄部を回転させ易くすることのできる清掃具を提供する。【解決手段】清掃面１３を備える清掃本体部１１と、清掃本体部１１にジョイント部１６を介して回転可能に接続される柄部１２を有し、清掃面１３を被清掃面に押し付けて用いる清掃具１０であって、ジョイント部１６は、柄部１２の一端部１２ａを一本の回転軸を中心として回転可能に支持するジョイント基台１８と、清掃本体部１１の清掃面１３に形成された着脱係止穴１５とからなり、ジョイント基台１８の底面１８ａは、係止状態において清掃本体部１１の背面部１４と密着する。ジョイント基台１８の底面１８ａには、突出方向に弾性付勢されて進退可能な位置決め凸部１９が設けられていると共に、清掃本体部１１の背面部１４の着脱係止穴１５の周囲には、位置決め凹部２０が設けられている。【選択図】図１
2010264096.tif 000002
【特許請求の範囲】
【請求項１】
清掃面を備える清掃本体部と、該清掃本体部にジョイント部を介して回転可能に接続される柄部を有し、前記清掃面を被清掃面に押し付けて用いる清掃具であって、
前記ジョイント部は、前記柄部の一端部を回転可能に支持すると共に着脱係止突部を備えるジョイント基台と、前記清掃本体部の清掃面とは反対側の背面部に形成されて前記着脱係止突部が着脱可能に係止される着脱係止穴とからなり、
前記ジョイント基台の底面は、係止状態において前記清掃本体部の背面部と密着し、
前記ジョイント基台の底面には、突出方向に弾性付勢されて進退可能な位置決め凸部が設けられていると共に、前記清掃本体部の背面部の着脱係止穴の周囲には、位置決め凹部が設けられており、
前記柄部の一端部は、前記ジョイント基台に一本の回転軸を中心として回転可能に支持されており、
前記位置決め凸部を前記位置決め凹部に係止することにより、前記清掃本体部に対する前記ジョイント基台の方向を規制して、前記清掃本体部による所定の清掃方向に沿って前記柄部を回転させ易くする清掃具。
【請求項２】
前記清掃本体部の背面部に、前記着脱係止穴が複数箇所に形成されている請求項１記載の清掃具。
【請求項３】
前記着脱係止穴の周囲には、前記位置決め凹部が周方向に間隔をおいて複数箇所に設けられている請求項１又は２に記載の清掃具。
【請求項４】
前記柄部の一端部と前記ジョイント基台との間に、前記柄部の回転角度を段階的に変化させるラチェット機構が設けられている請求項３記載の清掃具。
【発明の詳細な説明】
【技術分野】
【０００１】
本発明は、清掃具に関し、特に、清掃面を備える清掃本体部と、該清掃本体部にジョイント部を介して回転可能に接続される柄部とからなり、清掃面を被清掃面に押し付けて用いる清掃具に関する。
【背景技術】
【０００２】
清掃面を備える清掃本体部と、該清掃本体部にジョイント部を介して回転可能に接続される柄部とからなる清掃具が種々知られている（例えば、特許文献１参照）。これらの清掃具では、必要に応じて清掃本体部に清掃シートを着脱交換可能に取り付け、柄部を把持して被清掃面に清掃面を押し付けながら清掃本体部を被清掃面に沿って移動させることにより、被清掃面の清掃を行うようになっている。
【０００３】
また、これらの清掃具では、柄部を操作しつつ清掃本体部を被清掃面に沿って様々な方向にスムーズに移動させることができるように、ジョイント部を介して柄部を清掃本体部の背面中央部に接続すると共に、ジョイント部として例えばユニバーサルジョイントを使用することにより、清掃本体部に対して柄部を上下方向のみならず左右方向にも回転できるようにする工夫が施されている。
【特許文献１】特表２００３−５２３２４０号公報
【発明の開示】
【発明が解決しようとする課題】
【０００４】
一方、例えば細長い清掃箇所や奥深い清掃箇所に対して清掃作業を行う場合等、清掃時における清掃具の使用態様によっては、清掃本体部による所定の清掃方向に沿ってのみ、柄部を清掃本体部に対して回転させ易くした方が、清掃作業をよりスムーズに行えるようになる場合がある。特に、清掃作業の効率化を図るべく、柄部を、清掃本体部の背面部中央部以外の端部や縁部等において、ジョイント部を介して清掃本体部に接続した場合には、端部や縁部等に接続したことによって効率良く清掃することが可能な所定の清掃方向に沿ってのみ、清掃本体部に対して柄部を回転させ易くすることにより、さらに安定した状態で清掃作業を行うことが可能になると考えられる。
【０００５】
本発明は、特に清掃本体部の背面部中央部以外の部分において柄部をジョイント部を介して清掃本体部の背面部に接続した場合に、所定の清掃方向に沿ってのみ、清掃本体部に対して柄部を回転させ易くすることのできる清掃具を提供することを目的とする。
なお、本明細書で「所定の清掃方向」とは、「清掃本体部によって効率良く清掃することが可能な方向」を意味し、本発明の清掃具の使用者が、清掃する場所の状況に従って、選択できる方向である。
【課題を解決するための手段】
【０００６】
本発明は、清掃面を備える清掃本体部と、該清掃本体部にジョイント部を介して回転可能に接続される柄部を有し、前記清掃面を被清掃面に押し付けて用いる清掃具であって、前記ジョイント部は、前記柄部の一端部を回転可能に支持すると共に着脱係止突部を備えるジョイント基台と、前記清掃本体部の清掃面とは反対側の背面部に形成されて前記着脱係止突部が着脱可能に係止される着脱係止穴とからなり、前記ジョイント基台の底面は、係止状態において前記清掃本体部の背面部と密着し、前記ジョイント基台の底面には、突出方向に弾性付勢されて進退可能な位置決め凸部が設けられていると共に、前記清掃本体部の背面部の着脱係止穴の周囲には、位置決め凹部が設けられており、前記柄部の一端部は、前記ジョイント基台に一本の回転軸を中心として回転可能に支持されており、前記位置決め凸部を前記位置決め凹部に係止することにより、前記清掃本体部に対する前記ジョイント基台の方向を規制して、前記清掃本体部による所定の清掃方向に沿って前記柄部を回転させ易くする清掃具を提供することにより、上記目的を達成したものである。
【発明の効果】
【０００７】
本発明の清掃具によれば、特に中央部以外の部分において柄部をジョイント部を介して清掃本体部の背面部に接続した場合に、清掃本体部によって効率良く清掃することが可能な所定の清掃方向に沿ってのみ、清掃本体部に対して柄部を回転させ易くすることができる。
【発明を実施するための最良の形態】
【０００８】
本発明の好ましい一実施形態に係る清掃具１０は、図１（ａ），（ｂ）に示すように、清掃本体部１１と柄部１２とを有し、清掃本体部１１の清掃面１３を覆って清掃シート（図示せず）を着脱交換可能に取り付けて、柄部１２を把持して被清掃面に清掃面１３を押し付けながら清掃本体部１１を被清掃面に沿って移動させることにより、被清掃面の清掃を行うようになっている。また、本実施形態の清掃具１０は、柄部１２を清掃本体部１１に接続するための接続箇所としての着脱係止穴１５が、清掃本体部１１の背面部１４の複数箇所に設けられている。本実施形態の清掃具１０は、これらの複数の着脱係止穴１５から一つの接続箇所を選択して柄部１２を接続した際に、接続された柄部１２が、当該接続箇所に接続したことによって効率良く清掃することが可能な所定の清掃方向Ｘ１，Ｘ２に沿ってのみ、清掃本体部１１に対して柄部１２を回転させ易く構成されることにより、安定した状態で清掃作業を行うことができる機能を備えている。
【０００９】
そして、本実施形態の清掃具１０は、清掃面１３を備える清掃本体部１１と、清掃本体部１１にジョイント部１６を介して回転可能に接続される柄部１２を有し、清掃面１３を被清掃面に押し付けて用いる清掃具であって、図２にも示すように、ジョイント部１６は、柄部１２の一端部１２ａを一本の回転軸２２を中心に回転可能に支持すると共に着脱係止突部１７を備えるジョイント基台１８と、清掃本体部１１の清掃面１３とは反対側の背面部１４に形成されて着脱係止突部１７が着脱可能に係止される着脱係止穴１５とからなっている。当該ジョイント基台１８の底面１８ａは、係止状態において清掃本体部１１の背面部１４と密着し、ジョイント基台１８の底面１８ａには、該底面１８aから清掃本体部１１の背面部１４に向かって突出するように弾性付勢されて進退可能な位置決め凸部１９が設けられている。清掃本体部１１の背面部１４の着脱係止穴１５の周囲には、位置決め凹部２０が設けられており、位置決め凸部１９を位置決め凹部２０に係止することにより、清掃本体部１１に対するジョイント基台１８の方向を規制して、清掃本体部１１による所定の清掃方向Ｘ１，Ｘ２に沿って柄部１２を回転させ易くなっている。
【００１０】
本実施形態では、清掃本体部１１は、略横長帯状の平面形状を備えるように形成された合製樹脂製の中空成形品であって、その下面側の清掃面１３は、下方に向けて凸となった円弧状の断面形状を有しており、その上面側の背面部１４は、平坦な面となっている。また清掃本体部１１の背面部１４には、ジグザグ状のスリット２１ａが形成された柔軟な弾性材料からなる公知のシート保持部２１が、当該背面部１４の幅方向中央部分に長手方向に間隔をおいて４箇所に設けられている。例えば下面側の清掃面１３を覆うようにして清掃シート（図示せず。）を清掃本体部１１に巻き付けた後に、清掃シートの端縁部を、スリット２１ａを介してシート保持部２１に押し込むことにより、清掃シートが清掃本体部１１に着脱交換可能に容易に取着されることになる。
【００１１】
柄部１２は、例えば合成樹脂製の棒状部材からなり、使用者が当該清掃具１０を用いて立ったままの姿勢で清掃作業を行うのに適した、例えば５０〜１２０ｃｍ程度の長さを有している。また、柄１２の上端部には、把持部（図示せず。）が設けられていると共に、柄部１２の一端部１２ａである下端部には、回転軸２２を有する二股形状となった回転連結部２３が設けられている。回転連結部２３を介して、柄部１２がジョイント基台１８に回転可能に連結されると共に、柄部１２は、このジョイント基台１８と着脱係止穴１５とからなるジョイント部１６を介して、清掃本体部１１に回転可能に接続されることになる。
【００１２】
清掃本体部１１と柄部１２とを接続するジョイント部１６は、上述のように、ジョイント基台１８と着脱係止穴１５とからなる。ジョイント部１６を構成するジョイント基台１８は、図３及び図４にも示すように、略半長円形の側面形状を有する合成樹脂製の厚板部材からなり、その底面１８ａは、着脱係止突部１７が突出する部分を除いて平坦な面となっている。ジョイント基台１８は、着脱係止突部１７を着脱係止穴１５に係止して清掃本体部１１の背面部１４に立設配置された際に（図１，図２参照）、その平坦な底面１８ａを当該背面部１４に密着させて、当該背面部１４に対して垂直に、安定した状態で立設するようになっている。またジョイント基台１８の両側の側面には、各々、当該側面形状と略相似形の軸受補強凸部２４が、一体として外側に突出して設けられている。さらに、これらの軸受補強凸部２４が設けられた部分において、軸受孔２５が、両側の側面を貫通してジョイント基台１８に形成されている。この軸受孔２５には、回転連結部２３に設けられた回転軸２２が挿通されて回転可能に軸支されることにより、柄部１２の一端部１２ａは、一本の回転軸２２を中心として回転可能に支持された状態で、ジョイント基台１８に連結されることになる。
【００１３】
また、本実施形態では、ジョイント基台１８の略半長円形の外周面１８ｂには、好ましくは周方向に等角度間隔をおいて、複数のラチェット凹部２６が設けられている。一方、柄部１２の一端部１２ａの回転連結部２３における二股形状の基端部内側面には、当該基端部内側面から進退可能に突出するラチェット凸部２７が設けられている。これらの複数のラチェット凹部２６とラチェット凸部２７とが、柄部１２の一端部１２ａとジョイント基台１８との間に設けられた、柄部１２の回転角度を段階的に変化させるラチェット機構を構成することになる。すなわち、ラチェット凸部２７は、回転連結部２３における二股形状の基端部内側面に形成された進退ガイド穴２８の内部に設けられたばね２９からの弾性付勢力によって、ジョイント基台１８の外周面１８ｂに向けて進退可能に突出するようになっている（図２参照）。これによって、柄部１２をジョイント基台１８に対して回転させさせつつ、複数のラチェット凹部２６のうちの一つを選択して、ラチェット凸部２７を進退させながら順次係止して行くことにより、柄部１２の回転角度を段階的に変化させることができるようになっている。
【００１４】
さらに、本実施形態では、ジョイント基台１８の底面１８ａの中央部分から垂直下方に突出して、着脱係止突部１７が設けられている。着脱係止突部１７は、本実施形態では、略円柱形状の支柱部１７ａと、支柱部１７ａから垂直外側に半長円形状に張り出して設けられた一対の係着張出部１７ｂとからなり（図３，図４参照）、一対の係着張出部１７ｂは、ジョイント基台１８の底面１８ａから清掃本体部１１の背面部１４の肉厚ｔ（図２参照）に相当する間隔分離れた位置に配置されている。また一対の係着張出部１７ｂは、ジョイント基台１８の軸受孔２５、及び柄部１２の一端部１２ａの回転軸２２と平行な方向に直線状に配置されて、支柱部１７ａから当該支柱部１７ａの径方向外側に突出して設けられている。
【００１５】
さらにまた、前述のように本実施形態では、ジョイント基台１８の底面１８ａには、これの長手方向の一端部において、当該底面１８ａから下方即ち清掃本体部１１の背面部１４に向けて進退可能に突出する位置決め凸部１９が設けられている。位置決め凸部１９は、ジョイント基台１８の底面１８ａに形成された進退ガイド穴３０の内部に設けられたばね３１からの弾性付勢力によって、底面１８ａから下方に向けて進退可能に突出するようになっている。位置決め凸部１９は、後述する清掃本体部１１の着脱係止穴１５の周囲に設けられた位置決め凹部２０に係止されることにより、清掃本体部１１に対するジョイント基台１８の方向を規制して、清掃本体部１１による所定の清掃方向Ｘ１，Ｘ２に沿って柄部１２を回転させ易くする。ここで、「清掃方向Ｘ１，Ｘ２に沿って柄部１２を回転」とは、回転連結部２３に設けられた回転軸２２を中心にして、Ｘ１方向（又はＸ２方向）に柄部１２を倒したり、引き起こす動作を意味する。また、「回転させ易くする」とは、清掃本体部１１に対するジョイント基台１８の方向を規制（固定）することにより、柄部１２をＸ１方向（又はＸ２方向）に回転させる時に、当該回転方向がその他の方向に振れないようにすることである。
【００１６】
ジョイント基台１８の着脱係止突部１７が着脱可能に係止される、清掃本体部１１の背面部１４に設けられた着脱係止穴１５は、本実施形態では、着脱係止突部１７を垂直方向に投影させた形状に相当する、円形開口部１５ａと、円形開口部１５ａの対向する部分から径方向外側に張り出した半長円形状の張出し開口部１５ｂとが一体となった開口形状を有している。これによって、例えばジョイント基台１８の着脱係止突部１７の一対の係着張出部１７ｂを張出し開口部１５ｂに合致させて、着脱係止穴１５に着脱係止突部１７を挿入し、ジョイント基台１８の底面１８ａを清掃本体部１１の背面部１４に密着させた後に、ジョイント基台１８を清掃本体部１１に対して左右方向に所定の角度回転させることにより、ジョイント基台１８の底面１８ａと着脱係止突部１７の係着張出部１７ｂとの間に清掃本体部１１の背面部１４を挟み込むようにしつつ、ジョイント基台１８が清掃本体部１１に回動可能に係着されることになる。
【００１７】
また、ジョイント基台１８を清掃本体部１１に対して逆方向に所定の角度回転させ、例えばジョイント基台１８の着脱係止突部１７の一対の係着張出部１７ｂを張出し開口部１５ｂに合致させた後に、着脱係止突部１７を着脱係止穴１５から引き抜くことにより、ジョイント基台１８を清掃本体部１１から容易に取り外すことができるようになっている。
【００１８】
なお、本実施形態では、着脱係止穴１５は、清掃本体部１１の背面部１４の幅方向中央部分に長手方向に間隔をおいて５箇所に設けられている。これらの着脱係止穴１５のうち、中央の一箇所の着脱係止穴１５は、張出し開口部１５ｂの張り出し方向を背面部１４の幅方向に沿わせて形成されており、これの両側の残りの４箇所の着脱係止穴１５は、張出し開口部１５ｂの張り出し方向を背面部１４の長手方向に沿わせて形成されている。
【００１９】
着脱係止穴１５の周囲に設けられる位置決め凹部２０は、本実施形態では、線状に窪んだ凹溝によって形成されている。本実施形態では、位置決め凹部２０は、各々の着脱係止穴１５について、張出し開口部１５ｂの張り出し方向に沿ってこれらの先端から両側に延設して一対設けられている。また、中央の一箇所の着脱係止穴１５については、周方向に１８０°の角度間隔をおいて形成された上記一対の位置決め凹部２０に加えて、これらと例えば４５°の角度間隔をおいて形成された、複数の位置決め凹部２０が設けられている。
【００２０】
上述のように、ジョイント基台１８の着脱係止突部１７を着脱係止穴１５に挿入し、底面１８ａを背面部１４に密着させつつ、ジョイント基台１８を清掃本体部１１に対して回転させた際に、これらの位置決め凹部２０に、ジョイント基台１８の底面１８ａに設けられた、弾性付勢力によって進退可能に突出する位置決め凸部１９が選択的に係止されることによって、清掃本体部１１に対するジョイント基台１８の方向が容易に規制されることになる。
【００２１】
そして、上述の構成を備える本実施形態の清掃具によれば、清掃本体部１１によって効率良く清掃することが可能な所定の清掃方向Ｘ１，Ｘ２に沿ってのみ、清掃本体部１１に対して柄部１２を回転させ易くすることができる。
【００２２】
すなわち、本実施形態によれば、柄部１２と清掃本体部１１とのジョイント部１６は、柄部１２の一端部１２ａを回転可能に支持するジョイント基台１８と、清掃本体部１１の背面部１４に形成された着脱係止穴１５とからなり、ジョイント基台１８の底面１８ａに進退可能な位置決め凸部１９が設けられていると共に、清掃本体部１１の着脱係止穴１５の周囲には、位置決め凹部２０が設けられている。
【００２３】
したがって、例えば図１（ａ）に示すように、清掃面１３ができるだけ広い幅となる状態を保持して広範囲に亘る清掃作業を効率良く行えるようにするために、清掃本体部１１の幅方向を所定の清掃方向Ｘ１とする場合には、位置決め凸部１９を位置決め凹部２０に係止して、ジョイント基台１８の軸受補強凸部２４が清掃本体部１１の長手方向を向くように規制すれば、柄部１２は清掃方向Ｘ１に沿ってのみ、清掃本体部１１に対して回転し易くなるので、当該効率良く清掃することが可能な清掃方向Ｘ１に沿って、安定した状態で幅方向に清掃本体部１１を移動させることが可能になる。
【００２４】
また、例えば図１（ｂ）に示すように、清掃面１３ができるだけ狭い幅となる状態を保持して細長い清掃箇所や奥深い清掃箇所に対する清掃作業を効率良く行えるようにするために、清掃本体部１１の長手方向を清掃方向Ｘ２とする場合には、位置決め凸部１９を位置決め凹部２０に係止して、ジョイント基台１８が清掃本体部１１の長手方向を向くように規制すれば、柄部１２は清掃方向Ｘ２に沿ってのみ、清掃本体部１１に対して回転し易くなるので、当該効率良く清掃することが可能な清掃方向Ｘ２に沿って、安定した状態で長手方向に清掃本体部１１を移動させることが可能になる。本実施形態は、特にこのような清掃本体部１１の背面部１４の長手方向の中央部以外の着脱係止穴１５で柄部１２を清掃本体部１１の背面部１４に接続した場合に、清掃本体部１１の清掃方向Ｘ２への移動を安定させて、効率良く清掃作業を行うことができる。
【００２５】
さらに、本実施形態では、例えば清掃本体部１１の幅方向に対して斜め４５°の方向を所定の清掃方向として清掃作業を行いたい場合には、位置決め凸部１９を斜め４５°向いた位置決め凹部２０に係止して、ジョイント基台１８の向きを規制すれば、柄部１２は斜め４５°を向いた方向Ｘに沿ってのみ、清掃本体部１１に対して回転し易くなるので、このような清掃方向に沿って、安定した状態で幅方向に清掃本体部１１を移動させることが可能になる。
【００２６】
なお、本発明は上記実施形態に限定されることなく種々の変更が可能である。例えば清掃本体部は、略横長帯状の平面形状を備えている必要は必ずしもなく、矩形平面形状等、その他の種々の平面形状を備えていても良い。また、柄部の接合箇所となる着脱係止穴は、清掃本体部の背面部の角部や周縁部等、任意の位置に設けることができる。さらに、着脱係止穴の周囲に設けられる位置決め凹部は、線状に窪んだ凹溝である必要は必ずしも無く、位置決め凸部が係止可能な凹部であれば、例えば点状に窪んだ凹部であっても良い。さらに、位置決め凸部は、ばねによって弾性付勢されて進退可能に突出するものである必要は必ずしもなく、位置決め凸部自体を弾性を備える材料で形成し、弾性変形させることで進退可能として、位置決め凹部に係止させることもできる。また、本発明の清掃具は、清掃本体部及び柄部以外の部品として、清掃シートに洗浄剤を供給する為のポンプ機能を有する部品等、清掃の性能を向上させる部品を取り付けることもできる。さらに、上記実施形態では、中央の一箇所の着脱係止穴１５は、張出し開口部１５ｂの張り出し方向を背面部１４の幅方向に沿わせて形成されており、これの両側の残りの４箇所の着脱係止穴１５は、張出し開口部１５ｂの張り出し方向を背面部１４の長手方向に沿わせて形成されているが、清掃具の使用場所の状況により、張出し開口部１５ｂの張り出し方向を任意の方向に形成するように設計することもできる。
【図面の簡単な説明】
【００２７】
【図１】（ａ），（ｂ）本発明の好ましい一実施形態に係る清掃具の要部を示す斜視図である。
【図２】図１（ａ）のＡ−Ａに沿った断面図である。
【図３】ジョイント基台及び着脱係止穴を介して柄部がを清掃本体部に接続される状態を説明する拡大斜視図である。
【図４】柄部の一端部が連結されるジョイント基台の構成を説明する斜視図である。
【符号の説明】
【００２８】
１０  清掃具
１１  清掃本体部
１２  柄部
１３  清掃面
１４  背面部
１５  着脱係止穴（接続箇所）
１６  ジョイント部
１７  着脱係止突部
１８  ジョイント基台
１９  位置決め凸部
２０  位置決め凹部
２１  シート保持部
２２  回転軸
２３  回転連結部
２４  軸受補強凸部
２５  軸受孔
２６  ラチェット凹部
２７  ラチェット凸部
Ｘ１，Ｘ２  所定の清掃方向
【図１】
2010264096.tif 000003
【図２】
2010264096.tif 000004
【図３】
2010264096.tif 000005
【図４】
2010264096.tif 000006